(57)【要約】【課題】  接着材の色が変化したかどうかを容易に判断することができ、接着材の硬化状態を簡単に確認することができる、配線・配管材支持具を提供する。【解決手段】  配線・配管材支持具３は、建物の天井等の構築面１に固定されて、配線・配管材２を支持する。この配線・配管材支持具３は、構築面１に、硬化によって色が変化する接着材４を用いて接着固定される基板３ａと、配線・配管材２を支持する支持部３ｂとを備える。そして、基板３ａは、透明または半透明に形成された視認部３ｘと、接着材４の硬化前の色または硬化後の色と同色に形成されて、接着材４の色と対比される指標部３ｙとを、備える。【選択図】  図１
2015031311.tif 000002
【特許請求の範囲】
【請求項１】
建物の構築面に固定されて、配線・配管材を支持する配線・配管材支持具であって、
前記構築面に、硬化によって色が変化する接着材を用いて接着固定される基板と、その基板に設けられて前記配線・配管材を支持する支持部とを備え、
前記基板は、その基板の向こう側の接着材の色が透けて見えるように透明または半透明に形成された視認部と、前記接着材の硬化前の色または硬化後の色と同色に形成されて、前記接着材の硬化の前後および過程でその接着材の色と対比される指標部とを、備えることを特徴とする、配線・配管材支持具。
【請求項２】
前記指標部は、前記基板の中心から外周に向かう中間部に設けられ、その中間部を挟む内側および外側が前記視認部となっていることを特徴とする、請求項１に記載の配線・配管材支持具。
【請求項３】
前記基板を前記構築面へ押し付けたときに、前記基板上の接着材が広がって前記指標部からその指標部の外側の視認部側にはみ出すことで、前記接着材の適量が確認可能となっていることを特徴とする、請求項２に記載の配線・配管材支持具。
【請求項４】
前記指標部は、前記基板の外周側に設けられ、その内側が前記視認部となっていることを特徴とする、請求項１に記載の配線・配管材支持具。
【請求項５】
前記基板を前記構築面へ押し付けたときに、前記基板上の接着材が広がって前記視認部を被い前記指標部に達することで、前記接着材の適量が確認可能となっていることを特徴とする、請求項４に記載の配線・配管材支持具。
【請求項６】
前記基板の中心から外周に向かう中間位置を境にして、その内側に前記指標部が設けられ、その外側が前記視認部となっていることを特徴とする、請求項１に記載の配線・配管材支持具。
【請求項７】
前記基板を前記構築面へ押し付けたときに、前記基板上の接着材が広がって前記指標部から前記視認部側にはみ出すことで、前記接着材の適量が確認可能となっていることを特徴とする、請求項６に記載の配線・配管材支持具。
【発明の詳細な説明】
【技術分野】
【０００１】
この発明は、建物の構築面に接着固定されて、配線・配管材を支持する、配線・配管材支持具に関するものである。
【背景技術】
【０００２】
従来、建物の構築面に、配線・配管材を支持する配線・配管材支持具を固定するに当たって、接着材を用いることがあった（例えば、特許文献１参照）。この配線・配管材支持具は、構築面に接着材で貼り付けられる基板と、その基板から突出して前記配線・配管材を支持する支持部とから構成されていた。そして、基板は、透明な材料で形成されていたため、硬化によって色が変わる接着材を用いると、基板を透かして接着材の色の変化を見ることで、その接着材の硬化状態を確認することができた。
【先行技術文献】
【特許文献】
【０００３】
【特許文献１】特開２０１０−２１６６４７号公報
【発明の概要】
【発明が解決しようとする課題】
【０００４】
しかし、前記従来の配線・配管材支持具にあっては、硬化による接着材の色の変化が小さかったり、構築面が天井等の人から離れた位置にあったりすると、接着材の色が変化したかどうかを目で判断しにくかった。
【０００５】
この発明は、上記した従来の欠点を解決するためになされたものであり、その目的とするところは、接着材の色が変化したかどうかを容易に判断することができ、接着材の硬化状態を簡単に確認することができる、配線・配管材支持具を提供することにある。
【課題を解決するための手段】
【０００６】
この発明に係る配線・配管材支持具は、前記目的を達成するために、次の構成からなる。すなわち、
請求項１に記載の発明に係る配線・配管材支持具は、建物の構築面に固定されて、配線・配管材を支持する配線・配管材支持具である。この配線・配管材支持具は、前記構築面に、硬化によって色が変化する接着材を用いて接着固定される基板と、その基板に設けられて前記配線・配管材を支持する支持部とを備える。そして、前記基板は、その基板の向こう側の接着材の色が透けて見えるように透明または半透明に形成された視認部と、前記接着材の硬化前の色または硬化後の色と同色に形成されて、前記接着材の硬化の前後および過程でその接着材の色と対比される指標部とを、備える。
【０００７】
この配線・配管材支持具によると、配線・配管材支持具は、基板が構築面に、硬化によって色が変化する接着材により接着されることで、その構築面に固定される。ここで、基板は、透明または半透明に形成された視認部と、接着材の硬化前の色または硬化後の色と同色に形成された指標部とを、備えている。このため、基板の視認部を透かして見える接着材の色と指標部の色とを比較することで、接着材の色が変化したかどうかを容易に判断することができる。
【０００８】
また、請求項２に記載の発明に係る配線・配管材支持具は、請求項１に記載の配線・配管材支持具において、前記指標部は、前記基板の中心から外周に向かう中間部に設けられ、その中間部を挟む内側および外側が前記視認部となっている。
【０００９】
また、請求項３に記載の発明に係る配線・配管材支持具は、請求項２に記載の配線・配管材支持具において、前記基板を前記構築面へ押し付けたときに、前記基板上の接着材が広がって前記指標部からその指標部の外側の視認部側にはみ出すことで、前記接着材の適量が確認可能となっている。
【００１０】
また、請求項４に記載の発明に係る配線・配管材支持具は、請求項１に記載の配線・配管材支持具において、前記指標部は、前記基板の外周側に設けられ、その内側が前記視認部となっている。
【００１１】
また、請求項５に記載の発明に係る配線・配管材支持具は、請求項４に記載の配線・配管材支持具において、前記基板を前記構築面へ押し付けたときに、前記基板上の接着材が広がって前記視認部を被い前記指標部に達することで、前記接着材の適量が確認可能となっている。
【００１２】
また、請求項６に記載の発明に係る配線・配管材支持具は、請求項１に記載の配線・配管材支持具において、前記基板の中心から外周に向かう中間位置を境にして、その内側に前記指標部が設けられ、その外側が前記視認部となっている。
【００１３】
また、請求項７に記載の発明に係る配線・配管材支持具は、請求項６に記載の配線・配管材支持具において、前記基板を前記構築面へ押し付けたときに、前記基板上の接着材が広がって前記指標部から前記視認部側にはみ出すことで、前記接着材の適量が確認可能となっている。
【発明の効果】
【００１４】
この発明に係る配線・配管材支持具によれば、基板が、視認部と指標部とを備えているため、基板の視認部を透かして見える接着材の色と指標部の色とを比較することで、接着材の色が変化したかどうかを容易に判断することができ、これによって、接着材の硬化状態を簡単に確認することができる。
【図面の簡単な説明】
【００１５】
【図１】この発明の一実施の形態の、断面図である。
【図２】同じく、配線・配管材支持具の斜視図である。
【図３】同じく、本体部材の平面図である。
【図４】同じく、本体部材の底面図である。
【図５】同じく、図３におけるＡ−Ａ線による断面図である。
【図６】同じく、図３におけるＢ−Ｂ線による断面図である。
【図７】同じく、図３におけるＣ−Ｃ線による断面図である。
【図８】この発明の他の実施の形態の、図４相当図である。
【発明を実施するための形態】
【００１６】
以下、この発明に係る配線・配管材支持具を実施するための形態を図面に基づいて説明する。
【００１７】
図１〜図７は、本発明の一実施の形態を示す。図中符号１は、建物の構築面を示し、この構築面１は、天井面等であって、例えば、二重天井における上側の天井面からなる。２は、配線・配管材（配線材または配管材）を示し、この配線・配管材２は、電力線、信号線等の配線材とか、給水管、給湯管、ガス管等の配管材からなる。３は、配線・配管材支持具を示し、この配線・配管材支持具３は、前記構築面１に固定されて、配線・配管材２を支持する、支持具である。
【００１８】
配線・配管材支持具３は、構築面１に、硬化によって色が変化する接着材４を用いて接着固定される基板３ａと、その基板３ａに設けられて配線・配管材２を支持する支持部３ｂとを備える。すなわち、基板３ａは、その一方の面が、構築面１に接着固定される接着面３ｃとなり、他方の面となる裏面３ｄ側に、前記支持部３ｂが設けられる。そして、基板３ａは、その基板３ａの向こう側の接着材４の色が透けて見えるように透明または半透明に形成された視認部３ｘと、接着材４の硬化前の色または硬化後の色と同色に形成されて、接着材４の硬化の前後および過程でその接着材４の色と対比される指標部３ｙとを、備える。すなわち、例えば、接着材４の硬化前の色が黄色であって、硬化後の色が白色である場合には、指標部３ｙの色は、黄色または白色となる。
【００１９】
詳細には、図２〜図４に示すように、指標部３ｙは、基板３ａの中心から外側に向かう中間部に設けられ、その中間部を挟む内側および外側が前記視認部３ｘ、３ｘとなっている。そして、基板３ａを構築面１へ押し付けたときに、基板３ａ上の接着材４が広がって指標部３ｙからその指標部３ｙの外側の視認部３ｘ側にはみ出すことで、接着材４の適量が確認可能となっている。すなわち、指標部３ｙの外周Ｙ２の位置は、接着材４の適量を測る位置となっている。
【００２０】
具体的には、配線・配管材支持具３は、前記基板３ａを有する本体部材５と、針金、紐、帯等の線状材６とからなる（図１、図２参照）。ここにおいて、本体部材５は、前記基板３ａから（詳しくは、基板３ａの裏面３ｄから）突出形成される取付部５ａを有する。この取付部５ａには、取付孔５ｂがあけられており、線状材６は、取付孔５ｂに通されることで取付部５ａに取り付けられる。そこで、これら取付部５ａと線状材６とで、前記支持部３ｂが構成される。そして、配線・配管材２は、線状材６によって取付部５ａに結び止められ、これにより、配線・配管材２は、支持部３ｂに支持される。
【００２１】
本体部材５は、合成樹脂製であって、図示実施の形態においては、指標部３ｙを形成する、色を備えた合成樹脂と、視認部３ｘを含めてその他の部分を形成する、透明または半透明の合成樹脂とで、二色成形されている。すなわち、基板３ａにおいては、指標部３ｙ以外の部分が、透明または半透明に形成された視認部３ｘとなる。ここで、基板３ａは、角部がアール状に面取りされた正方形の板状形状をしている。そして、基板３ａは、前記接着面３ｃに、その基板３ａを構築面１へ押し付けたときに、押し広げられた接着材４が流入する接着材流入部を有する。
【００２２】
詳細には、図３に示すように、基板３ａは、その基板３ａを構築面１へ押し付けたときに接着材４が基板３ａの周縁側に広がるように、接着材４を案内する、前記接着材流入部としての溝３ｅを有する。より詳細には、基板３ａは、中央に（つまり、接着面３ｃの中央に）、接着材４が塗布される充填凹部３ｆを有し、前記溝３ｅが充填凹部３ｆから放射状に形成されている。図示実施の形態においては、充填凹部３ｆは、円形に形成され、溝３ｅ、３ｅは、充填凹部３ｆから基板３ａの周縁付近まで延びている。
【００２３】
また、基板３ａは、その板厚方向に貫通する、前記接着材流入部としての貫通孔３ｇを有する。この貫通孔３ｇは、複数設けられ、それら貫通孔３ｇ、３ｇは、基板３ａの中心を中心とする円上に位置する。図示実施の形態においては、貫通孔３ｇ、３ｇは、第１グループに属する複数の第１貫通孔３０１、３０１と、第２グループに属する複数の第２貫通孔３０２、３０２とに分けられ、内側から順に、第１グループの第１貫通孔３０１、３０１と、第２グループの第２貫通孔３０２、３０２とが、基板３ａの中心を中心とする同心円上に位置する。そして、これら貫通孔３ｇ、３ｇ（第１貫通孔３０１、第２貫通孔３０２）は、溝３ｅ、３ｅに設けられており、図示実施の形態においては、第１貫通孔３０１と第２貫通孔３０２とは、特に、充填凹部３ｆの周方向に並ぶ溝３ｅ、３ｅに、交互に設けられる。また、これら貫通孔３ｇ、３ｇは、一つを除いて、接着面３ｃ側が径小となり裏面３ｄ側が径大となるテーパー孔となっている。
【００２４】
また、基板３ａは、その接着面３ｃに、前記充填凹部３ｆとは別に、前記接着材流入部としての凹部３ｈ、３ｈを有している。この凹部３ｈ、３ｈは、隣合う溝３ｅ、３ｅの間に設けられており、基板３ａを構築面１へ押し付けたときに、溝３ｅからはみ出した接着材４が、この凹部３ｈに流れ込む。そして、基板３ａは、その裏面３ｄに、補強のために、周縁に沿って延びる凸縁部３ｉを有している。
【００２５】
そして、図３および図４に示すように、指標部３ｙは、基板３ａの中心を中心とする円形に形成される。詳細には、指標部３ｙは、円形の内周Ｙ１と円形の外周Ｙ２とを有し、その内外周Ｙ１、Ｙ２間が指標部３ｙとなり、それよりも内側および外側が、視認部３ｘ、３ｘとなる。さらに、指標部３ｙは、その周方向において複数位置で分断されており、その分断された部分もまた視認部３ｘとなっている。また、図示実施の形態においては、指標部３ｙの外周Ｙ２は、基板３ａの中心を中心とし、第２貫通孔３０２の接着面３ｃ側での円周と接するあるいは交わる（特に、図では、基板３ａの内側で接する）円上に設けられ、指標部３ｙの内周Ｙ１は、充填凹部３ｆに設けられている。そして、この指標部３ｙは、基板３ａの板厚方向の全体に渡って設けられる。もっとも、指標部３ｙは、基板３ａの板厚方向の全体に渡って設けられなくとも、接着面３ｃ側にのみ設けられてもよく、また、裏面３ｄ側にのみ設けられてもよく、また、板厚方向の中間位置に設けられてもよい。
【００２６】
この配線・配管材支持具３を建物の構築面１に固定する、固定方法は、始めに、基板３ａ（詳しくは、充填凹部３ｆ）に接着材４を塗布する。そして、基板３ａを構築面１へ押し付けるとともに、基板３ａの視認部３ｘを透かして接着材４の広がりの状態を確認する。その後、視認部３ｘを透かして見える接着材４の色を、指標部３ｙの色と対比することで、接着材４の硬化状態を確認する。さらに、この配線・配管材支持具３を用いた配線・配管材２の支持方法は、前記固定方法により、接着材４の色の変化から接着材４が硬化したことを確認した後、配線・配管材支持具３の支持部３ｂで配線・配管材２を支持する。
【００２７】
次に、以上の構成からなる配線・配管材支持具３の作用効果について説明する。この配線・配管材支持具３によると、配線・配管材支持具３は、基板３ａが構築面１に、硬化によって色が変化する接着材４により接着されることで、その構築面１に固定される。ここで、基板３ａは、透明または半透明に形成された視認部３ｘと、接着材４の硬化前の色または硬化後の色と同色に形成された指標部３ｙとを、備えている。このため、基板３ａの視認部３ｘを透かして見える接着材４の色と指標部３ｙの色とを比較することで、接着材４の色が変化したかどうかを容易に判断することができ、これによって、接着材４の硬化状態を簡単に確認することができる。
【００２８】
また、指標部３ｙは、基板３ａの中心から外周に向かう中間部に設けられ、その中間部を挟む内側および外側が視認部３ｘ、３ｘとなっている。そこで、接着材４が、湿気硬化型の接着材であると、その接着材４は、外側から硬化していき、このため、接着材４は、外側から色が変化していく。したがって、内側の視認部３ｘで、接着材４の色を見ることで、接着材４が硬化したことを的確に確認することができる。
【００２９】
そして、指標部３ｙの外周Ｙ２の位置は、接着材４の適量を測る位置となっており、基板３ａを構築面１へ押し付けたときに、指標部３ｙからその指標部３ｙの外側の視認部３ｘ側にはみ出せば、接着材４が適量であると判断することができる。
【００３０】
なお、本発明は、上述した実施の形態に限定されるわけではなく、その他種々の変更が可能である。例えば、構築面１は、天井面でなくとも、壁面等であってもよい。
【００３１】
また、指標部３ｙは、その周方向において分断されなくとも、連続して形成されてもよい。また、指標部３ｙは、図８に示すように、放射状に形成されてもよい。
【００３２】
また、図示を省略するが、指標部３ｙは、基板３ａの外周側に設けられ、その内側が視認部３ｘとなっていてもよい。そして、この場合には、基板３ａを構築面１へ押し付けたときに、基板３ａ上の接着材４が広がって視認部３ｘを被い指標部３ｙに達することで、接着材４の適量が確認可能となっているのが望ましい。
【００３３】
また、図示を省略するが、基板３ａの中心から外周に向かう中間位置を境にして、その内側に指標部３ｙが設けられ、その外側が視認部３ｘとなっていてもよい。そして、この場合には、基板３ａを構築面１へ押し付けたときに、基板３ａ上の接着材４が広がって指標部３ｙから視認部３ｘ側にはみ出すことで、接着材４の適量が確認可能となっているのが望ましい。
【００３４】
また、指標部３ｙと視認部３ｘとは、指標部３ｙが、記号とか文字等からなり、その周りが視認部３ｘとなったり、反対に、視認部３ｘが、記号とか文字等からなり、その周りが指標部３ｙとなってもよい。そして、これらの場合には、指標部３ｙを接着材４の硬化前の色と同色に形成した場合には、接着材４が硬化することで、その記号とか文字等が浮き出し、反対に、指標部３ｙを接着材４の硬化後の色と同色に形成した場合には、接着材４が硬化することで、その記号とか文字等が見えなくなる。したがって、この記号とか文字等を、例えば「◎」の記号や「ＯＫ」の文字とし、指標部３ｙを接着材４の硬化前の色と同色に形成することで、接着材４が硬化することで、「◎」の記号や「ＯＫ」の文字が浮き出し、接着材４が硬化したことを確認することができる。また、この記号とか文字等を、例えば「×」の記号や「ＮＧ」の文字とし、指標部３ｙを接着材４の硬化後の色と同色に形成することで、接着材４が硬化することで、「×」の記号や「ＮＧ」の文字が見えなくなり、接着材４が硬化したことを確認することができる。
【００３５】
また、指標部３ｙは、接着材４の硬化前の色または硬化後の色と同色に形成されるが、これら硬化前後の色のいずれか一方のみと同色に形成される以外に、硬化前の色と同色に形成された指標部３ｙと、硬化後の色と同色に形成された指標部３ｙとの両方を備えていてもよい。
【００３６】
また、指標部３ｙは、二色成形によって形成されなくとも、例えば、塗装とかテープの貼付等、その他の手段によって形成されてもよい。
【００３７】
また、接着材４としては、湿気硬化型の接着材の他に、ホットメルト接着材等、その他の接着材を用いることができる。ここで、接着材４としてホットメルト接着材を用いる場合には、施工現場で、基板３ａ上に、加熱溶融したホットメルト接着材を塗布してもよいが、予め工場等で、加熱溶融したホットメルト接着材を基板３ａに塗布しておき、施工現場で、改めて、その基板３ａ上のホットメルト接着材を加熱溶融してもよい。
【符号の説明】
【００３８】
１  構築面
２  配線・配管材
３  配線・配管材支持具
３ａ  基板
３ｂ  支持部
３ｘ  視認部
３ｙ  指標部
４  接着材
【図１】
2015031311.tif 000003
【図２】
2015031311.tif 000004
【図３】
2015031311.tif 000005
【図４】
2015031311.tif 000006
【図５】
2015031311.tif 000007
【図６】
2015031311.tif 000008
【図７】
2015031311.tif 000009
【図８】
2015031311.tif 000010